(57)【要約】【課題】携帯式電子装置のフラッシュの明るさを向上することができるフラッシュモジュール及びこのフラッシュモジュールを用いた写真撮影システムを提供すること。【解決手段】本発明に係るフラッシュモジュールは、本体部及び前記本体部の内部に設けられたフラッシュ部を備え、フラッシュ部は、回路基板と、回路基板に設けられたフラッシュと、処理モジュールと、通信モジュール或いは同期フラッシュ素子の中の少なくとも１つと、を含み、フラッシュ、通信モジュール及び同期フラッシュ素子は、それぞれ処理モジュールに電気的に接続され、通信モジュールは、フラッシュを使用するための制御指令を受信し、且つ当該制御指令を処理モジュールに伝送し、同期フラッシュ素子は、外部光線の変化を感知し、且つ別の制御指令を生成して、当該別の制御指令を処理モジュールに伝送する。【選択図】図１
2016145949.tif 000002
【特許請求の範囲】
【請求項１】
本体部及び前記本体部の内部に設けられたフラッシュ部を備えるフラッシュモジュールであって、
前記フラッシュ部は、回路基板と、前記回路基板に設けられたフラッシュと、処理モジュールと、通信モジュール或いは同期フラッシュ素子の中の少なくとも１つと、を含み、前記フラッシュ、前記通信モジュール及び前記同期フラッシュ素子は、それぞれ前記処理モジュールに電気的に接続され、前記通信モジュールは、フラッシュを使用するための制御指令を受信し、且つ当該制御指令を前記処理モジュールに伝送し、前記同期フラッシュ素子は、外部光線の変化を感知し、且つ別の制御指令を生成して、当該別の制御指令を前記処理モジュールに伝送し、前記処理モジュールは、前記通信モジュール又は前記同期フラッシュ素子からの制御指令に基づいて、前記フラッシュを制御して動作させることを特徴とするフラッシュモジュール。
【請求項２】
前記本体部は、順次に連接された四つの側壁を含み、四つの前記側壁は取り囲んで、前記フラッシュ部を収容するための取付部を形成し、前記取付部は、取付板を備え、前記取付板には、前記フラッシュに対応して位置する導光穴が設けられていることを特徴とする請求項１に記載のフラッシュモジュール。
【請求項３】
前記通信モジュールは、赤外線モジュール、ブルートゥース（登録商標）モジュール、Ｗｉ−Ｆｉ（登録商標）モジュール及び近距離無線通信モジュール（ＮＦＣ）の中の１つ又は複数の組み合せであることを特徴とする請求項１に記載のフラッシュモジュール。
【請求項４】
前記フラッシュモジュールは、フラッシュ部を被覆するように本体部の上方に装着されるフィルターをさらに備えることを特徴とする請求項１に記載のフラッシュモジュール。
【請求項５】
請求項１〜請求項４の何れか１項に記載のフラッシュモジュール及び携帯式電子装置を備える写真撮影システムであって、
前記フラッシュモジュールは、前記携帯式電子装置に着脱可能に設置されることを特徴とする写真撮影システム。
【請求項６】
前記携帯式電子装置は、処理ユニット、通信ユニット及びフラッシュユニットを備え、前記通信ユニット及び前記フラッシュユニットは、それぞれ前記処理ユニットに電気的に接続され、前記通信モジュールは、前記通信ユニットと通信接続関係を確立し、前記処理ユニットは、前記フラッシュユニットの作動を制御し、且つ制御指令を生成し、前記通信ユニットは、前記通信モジュールに前記制御指令を伝送することを特徴とする請求項５に記載の写真撮影システム。
【請求項７】
前記通信モジュール及び前記同期フラッシュ素子の中の何れか１つからの制御指令が優先的に前記処理モジュールに伝送されると、前記処理モジュールは当該優先的に伝送された制御指令に基づいて前記フラッシュを制御して、前記フラッシュをフラッシュユニットと同期して発光させることを特徴とする請求項６に記載の写真撮影システム。
【請求項８】
前記携帯式電子装置のハウジングには、収容凹所が設けられ、前記フラッシュモジュールは、前記収容凹所の内部に着脱可能に装着され、前記収容凹所の底壁には、固定孔が設けられ、前記本体部には、前記固定孔の位置に対応する取付孔が設けられ、
前記フラッシュモジュールは、フラッシュ部を含み、前記フラッシュ部は、回路基板及び前記回路基板に設けられた導電部品を含み、前記導電部品は、前記固定孔及び前記取付孔を貫通して、前記フラッシュモジュールを前記本体部内に固定させると共に、前記携帯式電子装置の電池と導通することを特徴とする請求項５に記載の写真撮影システム。
【発明の詳細な説明】
【技術分野】
【０００１】
本発明は、フラッシュモジュール及びこのフラッシュモジュールを用いた写真撮影システムに関する。
【背景技術】
【０００２】
最近、携帯電話機等の携帯式電子装置のカメラ機能が益々発展している。例えば、カメラの画素数の増加や、また、携帯式電子装置の中には、一眼レフカメラの機能に相当する多くのソフトウェアがインストールされている。しかし、携帯式電子装置のレンズが如何に高性能であってもフラッシュの明るさが足りない場合、写真の品質は悪くなる。
【発明の概要】
【発明が解決しようとする課題】
【０００３】
本発明は、上記の問題点を考慮してなされたものであり、携帯式電子装置のフラッシュの明るさを向上することができるフラッシュモジュール及びこのフラッシュモジュールを用いた写真撮影システムを提供することを目的とする。
【課題を解決するための手段】
【０００４】
上記の課題を解決するために、本発明に係るフラッシュモジュールは、本体部及び本体部の内部に設けられたフラッシュ部を備え、フラッシュ部は、回路基板、回路基板に設けられたフラッシュ、処理モジュール及び通信モジュール或いは同期フラッシュ素子の中の少なくとも１つを含み、フラッシュ、通信モジュール及び同期フラッシュ素子は、それぞれ処理モジュールに電気的に接続され、通信モジュールは、フラッシュを使用するための制御指令を受信し、且つ当該制御指令を処理モジュールに伝送し、同期フラッシュ素子は、外部光線の変化を感知し、且つ別の制御指令を生成して、当該別の制御指令を処理モジュールに伝送し、処理モジュールは、通信モジュール又は同期フラッシュ素子からの制御指令に基づいてフラッシュを制御して動作させる。
【０００５】
また、上記の課題を解決するために、本発明に係る写真撮影システムは、携帯式電子装置及び携帯式電子装置に着脱可能に設けられるフラッシュモジュールを備え、フラッシュモジュールは、本体部及び本体部の内部に設けられたフラッシュ部を含み、フラッシュ部は、回路基板、回路基板に設けられたフラッシュ、処理モジュール及び通信モジュール或いは同期フラッシュ素子の中の少なくとも１つを含み、フラッシュ、通信モジュール及び同期フラッシュ素子は、それぞれ処理モジュールに電気的に接続され、通信モジュールは、フラッシュを使用するための制御指令を受信し、且つ当該制御指令を処理モジュールに伝送し、同期フラッシュ素子は、外部光線の変化を感知し、且つ別の制御指令を生成して、当該別の制御指令を処理モジュールに伝送し、処理モジュールは、通信モジュール又は同期フラッシュ素子からの制御指令に基づいてフラッシュを制御して動作させる。
【発明の効果】
【０００６】
従来の技術と異なり、本発明に係る写真撮影システムは、フラッシュモジュールが携帯式電子装置に着脱可能に設けられ、且つフラッシュモジュール内の通信モジュールを介して携帯式電子装置の通信ユニットと無線通信関係を確立する。これによって、本発明のフラッシュモジュール内のフラッシュは、携帯式電子装置のフラッシュユニットと同期して発光し、フラッシュユニットの光線の強さを高め、携帯式電子装置の撮影効果を高めることができる。
【図面の簡単な説明】
【０００７】
【図１】本発明の第一実施形態に係る写真撮影システムのフラッシュモジュールが携帯式電子装置に組み立てられている状態を示す図である。
【図２】図１に示した携帯式電子装置の分解斜視図である。
【図３】図２に示したフラッシュモジュールの分解斜視図である。
【図４】図３に示したフラッシュモジュールを反対側から見た分解斜視図である。
【図５】本発明の第二実施形態に係る写真撮影システムのフラッシュモジュールの分解図である。
【図６】本発明の写真撮影システムの機能モジュールを示すブロック図である。
【発明を実施するための形態】
【０００８】
図１に示すように、本発明の実施形態に係る写真撮影システム１００は、フラッシュモジュール５０及び携帯式電子装置９０を備える。フラッシュモジュール５０は、携帯式電子装置９０に分離可能に装着されて、携帯式電子装置９０が写真を撮影する際に発光して携帯式電子装置９０の周辺の環境を照らすことで、写真の品質を高める。
【０００９】
図２に示すように、携帯式電子装置９０の例としては、携帯電話機、タブレットパソコン、デジタルカメラ及びモバイル電源等が挙げられる。以下の実施形態において、携帯電話機を例として説明する。具体的には、携帯式電子装置９０は、ハウジング９１及びハウジング９１内に装着される電源モジュール９３を含む。フラッシュモジュール５０が携帯式電子装置９０に装着されると、電源モジュール９３は、携帯式電子装置９０の電気端子を介して携帯式電子装置９０に給電する。フラッシュモジュール５０が携帯式電子装置９０から分離されると、電源モジュール９３はフラッシュモジュール５０に給電して、フラッシュモジュール５０の正常な動作を維持する。
【００１０】
本実施形態において、ハウジング９１は、携帯式電子装置９０のバックケース、電池カバー又は保護ケースとして使用される。また、ハウジング９１は、直方体であり、その両端には、収容部９１１がそれぞれ設けられている。ハウジング９１の中央には、収容凹所９１３が形成されており、当該収容凹所９１３は、２つの収容部９１１の間に位置する。電源モジュール９３は、２つの収容部９１１に対応して収容される。フラッシュモジュール５０は、収容凹所９１３に収容されて装着される。収容凹所９１３は、底壁９１３１及び該底壁９１３１の周りに設けられた四つの側壁９１３３を含む。また、底壁９１３１には、四つの固定孔９１３２が設けられている。各側壁９１３３には、２つの係止用リブ９１３４がそれぞれ設けられており、固定孔９１３２及び該係止用リブ９１３４は、フラッシュモジュール５０を装着するために用いられる。四つの側壁９１３３の中の１つの側壁９１３３には、第一貫通孔９１３５が設けられている。第一貫通孔９１３５が所在する側壁９１３３に対向する側壁９１３３には、第二貫通孔９１３６が設けられている。フラッシュモジュール５０のポート等は、第一貫通孔９１３５及び第二貫通孔９１３６を介して露出する。
【００１１】
図３及び図４に示すように、本発明の第一実施形態に係るフラッシュモジュール５０は、略正方形を呈し、且つ本体部５１、フラッシュ部５３、取付板５４及びフィルター５５を含む。フラッシュ部５３は、本体部５１の内部に収容される。フィルター５５は、フラッシュ部５３を被覆するように本体部５１の上方に装着される。
【００１２】
本体部５１は、略正方形の構造であり、順次に連接された四つの側壁５１１を含む。四つの側壁５１１は共同で取付部５１３を形成する。各側壁５１１には、２つの貫通開口５１１１が間隔をあけてそれぞれ設けられている。各貫通開口５１１１は、側壁９１３３の内面に設けられた対応する係止用リブ９１３４にそれぞれ係合されて、本体部５１を収容凹所９１３内に装着する。１つの側壁５１１には、第一貫通孔５１１３が設けられている。前記１つの側壁５１１に対向する側壁５１１には、第二貫通孔５１１５が設けられている。フラッシュ部５３の電子素子は、第一貫通孔５１１３及び第二貫通孔５１１５を介して露出する。
【００１３】
図４に示すように、本体部５１の底面には、フラッシュモジュール５０を装着するための四つの取付孔５１１６がさらに設けられている。四つの取付孔５１１６は、収容凹所９１３の四つの固定孔９１３２とそれぞれ対応して位置する。１つの側壁５１１には、ねじ穴５１１７がさらに設けられている。このねじ穴５１１７に三脚或いは他の支持部品を装着して、フラッシュ部５３を支持する。取付板５４は、フラッシュ部５３を覆うように設けられて、フラッシュ部５３と一体に組み立てられる。また、取付板５４には、複数の導光穴５４１が設けられている。本実施形態において、導光穴５４１は、円形であり、フラッシュ部５３内の閃光素子を収容する。これにより、該閃光素子が発する光線が集まり、光照射効果を高めることができる。
【００１４】
フラッシュ部５３は、回路基板５３１、複数のフラッシュ５３２、複数の給電モジュール５３３、通信モジュール５３５、処理モジュール５３６、第一充電用コネクタ５３７、第二充電用コネクタ５３８及び導電部品５３９を備える。給電モジュール５３３、通信モジュール５３５、処理モジュール５３６、第一充電用コネクタ５３７及び第二充電用コネクタ５３８は、回路基板５３１におけるフラッシュ５３２が所在する側の反対側の表面に設置されている。フラッシュ５３２、給電モジュール５３３、通信モジュール５３５、処理モジュール５３６、第一充電用コネクタ５３７、第二充電用コネクタ５３８及び導電部品５３９は、回路基板５３１を介して互いに電気的に接続される。複数のフラッシュ５３２は、ＬＥＤ或いはキセノンランプであり、発光して周辺の環境を照らすことで、携帯式電子装置９０の撮影効果を高める。フラッシュ部５３が本体部５１内の取付板５４に装着された後、フラッシュ部５３及び取付板５４は、取付部５１３内に収容される。各フラッシュ５３２は、１つの導光穴５４１に対応して位置し、導光穴５４１を介して外へ光を出射させる。複数の給電モジュール５３３は、フラッシュ５３２、通信モジュール５３５及び処理モジュール５３６に給電して、各モジュールの正常な動作を維持する。通信モジュール５３５は、携帯式電子装置９０と通信する。
【００１５】
本実施形態において、通信モジュール５３５は、赤外線モジュール、ブルートゥース（登録商標）モジュール、Ｗｉ−Ｆｉ（登録商標）モジュール及び近距離無線通信モジュール（ＮＦＣ）の中の１つ又は複数の組み合せである。また、通信モジュール５３５は、第一通信モジュール５３５１及び第二通信モジュール５３５３を含む。複数の給電モジュール５３３は、二列に配列されており、第一通信モジュール５３５１は、該二列の給電モジュール５３３間に位置している。第一通信モジュール５３５１は、赤外線モジュール、ブルートゥース（登録商標）モジュール又はＷｉ−Ｆｉ（登録商標）モジュールである。第二通信モジュール５３５３は、回路基板５３１に貼り合わせるように設置され、且つ回路基板５３１の少なくとも一部を被覆する。第二通信モジュール５３５３は、近距離無線通信モジュール（ＮＦＣ）である。処理モジュール５３６は、第一通信モジュール５３５１又は第二通信モジュール５３５３が伝送した携帯式電子装置９０からの制御指令を受信し、且つフラッシュ５３２を制御して動作させる。第一充電用コネクタ５３７及び第二充電用コネクタ５３８は、回路基板５３１の縁にそれぞれ設けられている。また、第一充電用コネクタ５３７は、第一貫通孔５１１３及び第一貫通孔９１３６を貫通して露出する。第二充電用コネクタ５３８は、第二貫通孔５１１５及び第二貫通孔９１３５を貫通して露出する。第一充電用コネクタ５３７及び第二充電用コネクタ５３８は、異なる充電器と互換して、給電モジュール５３３に充電する。
【００１６】
フラッシュ５３２は、一面のＯＬＥＤ或いは他の平行光源により製造されることが可能である。この際、フラッシュ５３２が発する光線は平行光であるため光線は発散しない。従って、取付板５４の導光穴５４１を省略して、フラッシュ５３２により直接に光線を出射させることで、環境光の明るさを向上することができる。
【００１７】
本実施形態において、導電部品５３９は、螺子又はボルトであり、回路基板５３１のフラッシュ５３２が所在する側の反対側の表面に設けられている。
【００１８】
フラッシュモジュール５０がハウジング９１の内部に装着され、ハウジング９１が携帯式電子装置９０に係合された際、導電部品５３９は、固定孔９１３２及び取付孔５１１６を貫通して、フラッシュモジュール５０を本体部５１内に固定させ、携帯式電子装置９０内の電池と導通する。これにより、携帯式電子装置９０の電池は、導電部品５３９及び回路基板５３１を介してフラッシュ部５３に給電する。
【００１９】
フィルター５５は、フラッシュ５３２が出射する光線の特性を変えるために用いられる。例えば、フィルター５５は、フラッシュ５３２が出射する光線の柔らかさを変えることができる。具体的に説明すると、フィルター５５がフラッシュ５３２の前側（即ち、フラッシュ５３２の光出射面）をカバーした場合、フラッシュ５３２が発した光は柔らかい光（即ち、光線が散乱状態にある）である。また、フィルター５５がフラッシュ５３２をカバーせず（即ち、フィルター５５を設けない場合）又はフラッシュ５３２の後側（即ち、フラッシュ５３２の光出射面の反対側の面）に設置された場合、フラッシュ５３２が発した光はより硬い（即ち、光線が直射状態にある）。つまり、ユーザは、必要に応じてフィルター５５の位置を変更することにより、フラッシュ５３２が発する光線の特性を変えることができる。
【００２０】
図５は、本発明の第二実施形態に係るフラッシュモジュール６０を示している。第二実施形態のフラッシュモジュール６０は、第一実施形態に記載したフラッシュモジュール５０の機能とほぼ同じであるが、異なる部分は、フラッシュモジュール６０は、本体部６１と、本体部６１に設けられた複数の導光穴６４１と、フィルター６５と、を備える。本体部６１及びフィルター６５は、全て円形である。導光穴６４１は、六角台形状である。
【００２１】
また、第一実施形態の本体部５１及び導光穴５４１の形状と第二実施形態の本体部６０及び導光穴６４１の形状は上記の記載に限定されず、必要に応じて、本体部５１の形状を円形にしたり、導光穴５４１の形状を星形状にしたりしてもよい。
【００２２】
また、必要に応じて、フラッシュ５３２の色及び配列方式を変更して、フラッシュ５３２が出射する光線の色及び形を調製することもできる。
【００２３】
また、フラッシュモジュール５０上に、フラッシュモジュール５０の電量状況を表示するための指示ランプを増設してもよい。又は、携帯式電子装置９０が生成する制御指令によって、起動されるフラッシュ５３２の数、フラッシュ５３２の明るさ及びフラッシュ５３２の色等を調節することができる。これによって、本発明のフラッシュモジュール５０、６０は、ユーザの必要に応じて、持続的に照らしたり、環境光の強さに応じて携帯式電子装置９０に補助光を加えたり、点滅させることでユーザに警告したりすることができる。
【００２４】
フラッシュモジュール５０を携帯式電子装置９０から分離して設置する場合、フラッシュモジュール５０の導電部品５３９を、ハウジング９１の四つの固定孔９１３２に貫通させ、ハウジング９１の係止用リブ９１３４を、フラッシュモジュール５０の側壁５１１の貫通開口５１１１内に係合させた後、電源モジュール９３をフラッシュモジュール５０と電気的に導通させるようにハウジング９１の内部に収容して、電源モジュール９３によりフラッシュモジュール５０に給電する。組み立てた後、フラッシュモジュール５０を他の支持部品に装着して、照らしたり、携帯式電子装置９０のカメラに補助光を加えたりすることを実現する。
【００２５】
一方、フラッシュモジュール５０を携帯式電子装置９０に装着する場合、先ずフラッシュモジュール５０の導電部品５３９を、ハウジング９１の四つの固定孔９１３２に貫通させ、ハウジング９１の係止用リブ９１３４を、フラッシュモジュール５０の側壁５１１の貫通開口５１１１内に係合させる。この際、フラッシュモジュール５０は、ハウジング９１の収容凹所９１３内に収容される。最後に、ハウジング９１を携帯式電子装置９０に被覆して装着して、導電部品５３９を携帯式電子装置９０内の電池と電気的に導通させる。
【００２６】
図６に示すように、携帯式電子装置９０は、処理ユニット９５、通信ユニット９６及びフラッシュユニット９７をさらに備える。通信ユニット９６及びフラッシュユニット９７は、それぞれ処理ユニット９５に電気的に接続される。処理ユニット９５は、フラッシュユニット９７の作動を制御し、且つフラッシュモジュール５０のフラッシュ５３２を起動するための制御指令を生成する。通信ユニット９６は、処理ユニット９５の制御指令をフラッシュモジュール５０に伝送する。具体的には、通信ユニット９６は、赤外線モジュール、ブルートゥース（登録商標）モジュール、Ｗｉ−Ｆｉ（登録商標）モジュール及び近距離無線通信モジュール（ＮＦＣ）の中の１つ又は複数の組み合せである。また、通信ユニット９６は、フラッシュモジュール５０の通信モジュール５３５と電気的に接続されて、処理ユニット９５からの制御指令を通信モジュール５３５に伝送する。
【００２７】
本発明の第三実施形態において、フラッシュモジュール５０は、フラッシュモジュール５０の処理モジュール５３６に電気的に接続された同期フラッシュ素子５７をさらに備える（図６を参照）。同期フラッシュ素子５７は、外部光線の変化を感知すると制御指令を生成して、当該制御指令を処理モジュール５３６に伝送する。具体的には、携帯式電子装置９０に設置されているフラッシュ５３２が動作する時に、同期フラッシュ素子５７は外部光線の変化をリアルタイムに感知し、この際、外部光線の変化がデフォルトの値を超えると、同期フラッシュ素子５７は処理モジュール５３６に制御指令を送信する。処理モジュール５３６は、同期フラッシュ素子５７の制御指令に基づいて、フラッシュ５３２の動作を制御する。これにより、フラッシュ５３２と携帯式電子装置９０のフラッシュユニット９７とは同時に作動して、携帯式電子装置９０のカメラモジュールに補助光を加える。
【００２８】
また、変形例として、同期フラッシュ素子５７を、直接にフラッシュ５３２に電気的に接続してもよい。この際、同期フラッシュ素子５７は、外部光線が変化したことを感知し、また、外部光線の変化がデフォルトの値を超えると、同期フラッシュ素子５７は直接制御指令を生成し、且つ当該制御指令をフラッシュ５３２に伝送して、フラッシュ５３２の作動を直接制御する。
【００２９】
本発明において、フラッシュモジュール５０は、以下の２つの方式によって動作する。以下、写真撮影システム１００の動作原理について詳細に説明する。
【００３０】
フラッシュモジュール５０が携帯式電子装置９０に装着されて、ユーザが写真を撮影したい場合、フラッシュモジュール５０のスイッチ（図示せず）を介して、フラッシュモジュール５０を起動させて、フラッシュモジュール５０の通信モジュール５３５及び同期フラッシュ素子５７をスタンバイ状態にさせると共に、携帯式電子装置９０の通信ユニット９６を起動して、通信ユニット９６とフラッシュモジュール５０の通信モジュール５３５との接続関係を確立する。
【００３１】
フラッシュモジュール５０の第一動作方式は、ユーザが携帯式電子装置９０によって写真を撮影し、且つフラッシュを使用する必要がある場合、処理ユニット９５は、通信ユニット９６を介してフラッシュを使用するための制御指令を通信モジュール５３５に伝送する。通信モジュール５３５は、前記制御指令を処理モジュール５３６に伝送する。処理モジュール５３６は、前記制御指令に基づいてフラッシュ５３２を制御して、フラッシュ５３２を携帯式電子装置９０のカメラと同期して動作させて、携帯式電子装置９０に補助光を加える。
【００３２】
フラッシュモジュール５０の第二動作方式は、ユーザが携帯式電子装置９０によって写真を撮影する時に、携帯式電子装置９０のフラッシュが発光し、同期フラッシュ素子５７が携帯式電子装置９０のフラッシュを感知すると、別の制御指令を生成して処理モジュール５３６に伝送する。処理モジュール５３６は、フラッシュ５３２を制御して発光させて、携帯式電子装置９０に補助光を加える。
【００３３】
上述した２種の方式は、フラッシュモジュール５０と携帯式電子装置９０とが同期してフラッシュする。また、ユーザは、処理モジュール５３６内にプログラムを予め設定することができる。これにより、処理モジュール５３６は、通信モジュール５３５或いは同期フラッシュ素子５７の中の１つからの制御指令を受信すると、フラッシュ５３２を制御して発光させる。
【００３４】
また、通信モジュール５３５及び同期フラッシュ素子５７の中の何れか１つからの制御指令は、処理モジュール５３６まで優先的に伝送されると、処理モジュール５３６は優先的に伝送された制御指令に基づいてフラッシュ５３２を制御して、フラッシュ５３２をフラッシュユニット９７と同期して発光させる。
【００３５】
また、ユーザは、必要に応じてフラッシュモジュール５０を携帯式電子装置９０から取り外して、ねじ穴５１１７を介してフラッシュモジュール５０を三脚或いは他の支持部品に装着して、支持部品等を適当な位置に置いて携帯式電子装置９０に補助光を加えることもできる。フラッシュモジュール５０が携帯式電子装置９０から分離された状態にあるフラッシュモジュール５０の動作原理と、フラッシュモジュール５０が携帯式電子装置９０に装着された状態にあるフラッシュモジュール５０の動作原理とは同じである。
【００３６】
上記の記載から分かるように、本発明は、フラッシュモジュール５０を携帯式電子装置９０に着脱可能に設置し、且つ通信モジュール５３５及び同期フラッシュ素子５７を介して携帯式電子装置９０からの制御指令或いはフラッシュ信号を受信して、フラッシュモジュール５０を制御して携帯式電子装置９０のフラッシュと同期して発光させる。これにより、本発明の写真撮影システムは、携帯式電子装置９０の周辺環境の光線の明るさを高め、携帯式電子装置９０の撮影効果を高めることができる。
【符号の説明】
【００３７】
１００  写真撮影システム
９０  携帯式電子装置
９１  ハウジング
９１１  収容部
９１３  収容凹所
９１３１  底壁
９１３２  固定孔
９１３３  側壁
９１３４  係止用リブ
９１３５  第一貫通孔
９１３６  第二貫通孔
９３  電源モジュール
９５  処理ユニット  
９６  通信ユニット  
９７  フラッシュユニット
５０、６０  フラッシュモジュール
５１、６１  本体部
５１１  側壁
５１１１  貫通開口
５１１３  第一貫通孔
５１１５  第二貫通孔
５１１６  取付孔
５１１７  ねじ穴
５１３  取付部
５３  フラッシュ部
５３１  回路基板
５３２  フラッシュ
５３３  給電モジュール
５３５  通信モジュール
５３５１  第一通信モジュール
５３５３  第二通信モジュール
５３６  処理モジュール
５３７  第一充電用コネクタ
５３８  第二充電用コネクタ
５３９  導電部品
５４  取付板
５４１、６４１  導光穴
５５、６５  フィルター
５７  同期フラッシュ素子
【図１】
2016145949.tif 000003
【図２】
2016145949.tif 000004
【図３】
2016145949.tif 000005
【図４】
2016145949.tif 000006
【図５】
2016145949.tif 000007
【図６】
2016145949.tif 000008